(57)【特許請求の範囲】
【請求項１】
摩擦帯電済みの現像剤を表面に担持する回転体状の回転自在な現像剤担持体と、現像剤担持体軸方向における現像剤担持体両端部表面及び現像装置本体の間に形成された空間からの前記現像剤の漏れを抑制する漏れ抑制体と、前記現像剤と同極性の電圧を漏れ抑制体に印加する電圧印加体とを備える現像装置において、
電圧印加体は、一方が接地され、他方が漏れ抑制体に接続されたコンデンサであり、
前記装置は現像処理後における漏れ抑制体の残留電荷を現像処理再開迄に除電する残留電荷除電体を備え、残留電荷除電体は、コンデンサと並列配置され、一端部がツェナーダイオードを介して接地され、他端部が漏れ抑制体に接続された抵抗であることを特徴とする現像装置。
【請求項２】
摩擦帯電済みの現像剤を表面に担持する回転体状の回転自在な現像剤担持体と、現像剤担持体軸方向における現像剤担持体両端部表面及び現像装置本体の間に形成された空間からの前記現像剤の漏れを抑制する漏れ抑制体と、前記現像剤と同極性の電圧を漏れ抑制体に印加する電圧印加体と、現像処理後における漏れ抑制体の残留電荷を現像処理再開迄に除電する残留電荷除電体と、を備え、互いに異色現像剤を収容した複数の現像装置と、
各現像装置を取り外し自在に支持する回転自在な現像装置支持体と、
を有する画像形成装置において、
各現像装置は、現像装置支持体の回転により現像処理実行位置に位置せしめられ、現像剤担持体は、現像装置本体及び画像形成装置本体の各々に設けられた接触端子を介する重畳電圧印加を受けて、摩擦帯電済みの現像剤を現像剤担持体表面から潜像担持体に形成された潜像に選択的に転移せしめ、両接触端子は、現像装置支持体の回転に伴い、互いに離間し合うようになっていることを特徴とする画像形成装置。
【請求項３】
電圧印加体は、一方が接地され、他方が漏れ抑制体に接続されたコンデンサである請求項２記載の画像形成装置。
【請求項４】
残留電荷除電体は、コンデンサと並列配置され一端部が接地され、他端部が漏れ抑制体に接続された抵抗である請求項３記載の画像形成装置。
【請求項５】
抵抗の一端部は、ツェナーダイオードを介して接地されている請求項４記載の画像形成装置。
【発明の詳細な説明】
【０００１】
【発明の属する技術分野】
本発明は、潜像担持体に形成担持された潜像を現像剤により可視画像とする現像装置及び画像形成装置であって、特に、現像剤担持体に担持された現像剤を潜像担持体及び現像剤担持体の間に生成された交番電場の作用により潜像担持体に選択的に転移せしめる現像装置及び画像形成装置に関するものである。
【０００２】
【従来の技術】
潜像担持体に形成担持された潜像を現像剤により可視画像とする現像装置にあっては、図７に示すように、現像剤を表面に担持しながら回転中の現像剤担持体１００に電力供給源１０１から接触端子１０２，１０２を介して重畳電圧が印加され潜像担持体（図示せず）及び現像剤担持体１０１の間に交番電場が生成されることにより、現像剤担持体表面に担持されている現像剤を潜像担持体に形成担持されている潜像に転移せしめ、以て、前記潜像の可視画像化を行う現像装置１０３が一般的である。
【０００３】
尚、図７は、現像装置１０３の概略構成を示す模式的断面図である。
【０００４】
即ち、現像装置１０３にあっては、現像処理中は接触端子１０２，１０２が互いに接触し電力供給源１０１から現像剤担持体１０１に重畳電圧が印加されることにより、潜像担持体に形成担持されている潜像が可視画像とされ、又、現像処理終了後は接触端子１０２，１０２が互いに離隔し合い電力供給源１０１から現像剤担持体１０１への重畳電圧の印加が中断されていた。
【０００５】
しかしながら、現像装置１０３にあっては、近年における高詳細化及び高解像度等の技術革新による現像剤の小粒径化及び球形化の進行に伴い、小粒径現像剤等の充分な摩擦帯電が困難となる傾向が現れ、現像剤担持体軸方向における現像剤担持体両端部表面及び現像装置本体の間に形成された空間から摩擦帯電不充分な小粒径現像剤等が漏れる、所謂、現像剤の吹き出しが生じる虞れがあったことから、前記吹き出しの抑制が望まれていた。
【０００６】
そこで、近年にあっては、図８に示すように、ローラ状の漏れ抑制体２００，２００を現像剤担持体軸方向における現像剤担持体両端部表面に当接又は近接配置することにより現像剤の吹き出し抑制を図ると共に、電圧印加体たるコンデンサ２０１が、摩擦帯電済みの現像剤と同極性の電圧を各漏れ抑制体２００，２００に印加し、又、ダイオード２０２を介して現像剤担持体１００に順方向電圧を印加することにより各漏れ抑制体２００，２００への現像剤吸着の抑制を図る現像装置２０３が、提案され実用に供されていた。
【０００７】
尚、図８は、現像装置２０３の概略構成を示す模式的断面図である。
【０００８】
【発明が解決しようとする課題】
しかしながら、現像装置２０３にあっては、互いに接触し合った接触端子１０２，１０２の現像処理終了に伴う離隔時にコンデンサ２０２における残留電荷が充分に減衰していない場合には、両接触端子１０２，１０２のうちの現像装置本体側の接触端子が電気的にフロートとなりコンデンサ２０２と同電位になることから、図８における位置Ｘ及び位置Ｙの間に電位差が生じてしまい、以て、安全面における改善が求められていた。
【０００９】
そこで、本発明は、現像剤の吹き出し及び漏れ抑制体への現像剤吸着が抑制可能であると共に、現像処理後における電圧印加体及び漏れ抑制体の残留電荷を充分量除電可能な現像装置又はこの現像装置を備える画像形成装置の提供を目的とする。
【００１０】
【課題を解決するための手段】
上記目的を達成するために、本発明は、摩擦帯電済みの現像剤を表面に担持する回転体状の回転自在な現像剤担持体と、現像剤担持体軸方向における現像剤担持体両端部表面及び現像装置本体の間に形成された空間からの前記現像剤の漏れを抑制する漏れ抑制体と、前記現像剤と同極性の電圧を漏れ抑制体に印加する電圧印加体とを備える現像装置において、電圧印加体は、一方が接地され、他方が漏れ抑制体に接続されたコンデンサであり、前記装置は現像処理後における漏れ抑制体の残留電荷を現像処理再開迄に除電する残留電荷除電体を備え、残留電荷除電体は、コンデンサと並列配置され、一端部がツェナーダイオードを介して接地され、他端部が漏れ抑制体に接続された抵抗であることを特徴とする現像装置である。
【００１１】
上記目的を達成するために、別の本発明は、摩擦帯電済みの現像剤を表面に担持する回転体状の回転自在な現像剤担持体と、現像剤担持体軸方向における現像剤担持体両端部表面及び現像装置本体の間に形成された空間からの前記現像剤の漏れを抑制する漏れ抑制体と、前記現像剤と同極性の電圧を漏れ抑制体に印加する電圧印加体と、現像処理後における漏れ抑制体の残留電荷を現像処理再開迄に除電する残留電荷除電体と、を備え、互いに異色現像剤を収容した複数の現像装置と、各現像装置を取り外し自在に支持する回転自在な現像装置支持体と、を有する画像形成装置において、各現像装置は、現像装置支持体の回転により現像処理実行位置に位置せしめられ、現像剤担持体は、現像装置本体及び画像形成装置本体の各々に設けられた接触端子を介する重畳電圧印加を受けて、摩擦帯電済みの現像剤を現像剤担持体表面から潜像担持体に形成された潜像に選択的に転移せしめ、両接触端子は、現像装置支持体の回転に伴い、互いに離間し合うようになっていることを特徴とする画像形成装置である。
【００１９】
即ち、本出願に係る第一の発明にあっては、電圧印加体が、摩擦帯電済みの現像剤と同極性の電圧を漏れ抑制体に印加し前記現像剤の漏れ抑制体への吸着を防止し、又、抵抗が、現像処理後における漏れ抑制体の残留電荷を現像処理再開迄に除電し、現像処理後における漏れ抑制体の電位が一定値に保たれるよう漏れ抑制体の残留電荷の除電量がツェナーダイオードにより制限される。
【００２３】
更に、本出願に係る第二の発明にあっては、電圧印加体が、摩擦帯電済みの現像剤と同極性の電圧を漏れ抑制体に印加し前記現像剤の漏れ抑制体への吸着を防止し、又、現像装置支持体の回転に伴う両接触端子の離隔による漏れ抑制体の残留電荷が現像処理再開迄に残留電荷除電体より除電される。
【００２５】
更に、本出願に係る第三の発明にあっては、コンデンサが、摩擦帯電済みの現像剤と同極性の電圧を漏れ抑制体に印加し前記現像剤の漏れ抑制体への吸着を防止し、又、残留電荷除電体が、現像処理後における漏れ抑制体の残留電荷を現像処理再開迄に除電する。
【００２６】
又、本出願に係る第四の発明にあっては、電圧印加体が、摩擦帯電済みの現像剤と同極性の電圧を漏れ抑制体に印加し前記現像剤の漏れ抑制体への吸着を防止し、又、抵抗が、現像処理後における漏れ抑制体の残留電荷を現像処理再開迄に除電する。
【００２７】
更に、本出願に係る第五の発明にあっては、現像処理後における漏れ抑制体の電位が一定値に保たれるよう漏れ抑制体の残留電荷の除電量がツェナーダイオードにより制限される。
【００２８】
【発明の実施の形態】
以下の添付図面に基づき本発明に係る実施の形態に関して説明する。
【００２９】
（第一の実施形態）
先ず、本発明に係る第一の実施形態に関して図１乃至図４に基づき説明する。
【００３０】
図１は、本実施形態に係る画像形成装置たるカラーレーザビームプリンタ１（以下、プリンタ１と略称する。）の概略構成を示す模式的断面図であり、プリンタ１は、プリンタ本体外部のホストコンピュータ等（図示せず）からの提供画像情報に応じた再現画像を形成し記録媒体Ｐに記録する形態の画像形成装置である。
【００３１】
プリンタ１は、図１に示すように、ドラム状の回転自在な潜像担持体２（以下、感光ドラム２と称する。）、現像装置支持体たる現像ロータリ３にて取り外し自在に支持され互いに異色現像剤を収容する現像装置４Ｙ，４Ｃ，４Ｍ，４Ｂｋ、感光ドラム表面に形成担持された各色可視画像を一旦表面に積層担持するローラ状の回転自在な中間担持体５、中間担持体表面に積層担持の各色可視画像を記録媒体Ｐに転写し未定着画像を前記記録媒体Ｐに形成すると共に前記記録媒体Ｐの搬送を兼ねる転写搬送ベルト６、及び、未定着画像を担持した記録媒体Ｐに定着処理を施す定着装置７等が搭載されている。
【００３２】
次に、プリンタ１における画像形成工程の概略に関して図１に基づき説明する。
【００３３】
先ず、潜像形成前に一次帯電器８から帯電処理（例えば、−６００［Ｖ］の均一帯電）を施された感光ドラム表面に、プリンタ外部等からの提供画像情報のうちの、例えば、イエロー提供画像情報に応じてレーザユニット９から明滅されたレーザＬａが露光されることにより、前記イエロー提供情報に応じた潜像（以下、各色毎に応じた潜像を夫々イエロー潜像、シアン潜像、マゼンダ潜像及びブラック潜像と称する。）が前記感光ドラム表面に形成担持される。
【００３４】
各現像装置４Ｙ，４Ｃ，４Ｍ，４Ｂｋは、夫々、イエロー、シアン、マゼンダ及びブラック現像剤を収容し、又、プリンタ本体に設けられた軸体１０にて回転自在に支持された現像ロータリ３にて取り外し自在に支持されており、以て、各色潜像の可視画像化は、可視画像化される潜像に対応の現像装置が、現像ロータリ３の回転により、潜像の可視画像を行うための現像処理実行位置に位置せしめられ行われるようになっている。
【００３５】
即ち、例えば、イエロー潜像の可視画像化は、各現像装置４Ｙ，４Ｃ，４Ｍ，４Ｂｋのうちの現像装置４Ｙが選択されたのち、現像装置４Ｙが現像ロータリ３の回転により前記現像処理実行位置に位置せしめられ行われる。
【００３６】
而して、現像装置４Ｙにより感光ドラム表面に形成担持されたイエロー可視画像は、前記イエロー可視画像と逆極性の電圧（即ち、各色現像剤が負極性の帯電性を有する場合には、正極性の電圧、例えば、＋２００［Ｖ］）が印加されている中間担持体表面に一旦担持され、以て、前記感光ドラム表面における残留物がクリーナ１１により除去され次なる潜像形成、例えば、シアン潜像形成に備えられる。
【００３７】
次に、シアン潜像形成前に一次帯電器８から再度帯電処理を施された感光ドラム表面に、プリンタ外部等からの提供画像情報のうちのシアン提供画像情報に応じてレーザユニット９から明滅されたレーザＬａが露光されることにより、シアン潜像が前記感光ドラム表面に形成担持される。
【００３８】
次に、シアン潜像の可視画像化が、現像ロータリ３の回転により前記現像処理実行位置に位置せしめられた現像装置４Ｃにより行われ、現像装置４Ｃにより感光ドラム表面に形成担持されたシアン可視画像は、前記シアン可視画像と逆極性の電圧が印加されている中間担持体表面におけるイエロー可視画像担持部位に積層担持されたのち、前記感光ドラム表面における残留物がクリーナ１１により除去され次なる潜像形成、例えば、マゼンダ潜像形成に備えられる。
【００３９】
以下、前述のプロセスに則りマゼンダ潜像形成からブラック可視画像の中間担持体表面への積層担持が行われることにより、プリンタ外部等からの提供画像情報に応じた再現画像（以下、カラー画像と略称する。）が中間担持体表面に形成担持される。
【００４０】
次に、中間担持体４及び転写搬送ベルト６が互いに接触せしめられカラー画像と逆極性の高電圧（例えば、カラー画像が負極性を有する場合には＋２［ｋＶ］）が転写搬送ベルト６に印加されたのち、プリンタ本体一側面又は下部にて取り外し自在に支持されたマルチトレイ１２及びカセット１３，１４，１５，１６のいずれかから中間担持体５及び転写搬送ベルト６の間に形成された転写空間に達した記録媒体Ｐの一面に転写され未定着画像を前記記録媒体Ｐに形成する。
【００４１】
尚、転写処理後における中間担持体表面の残留物は、転写処理中等に中間担持体表面に接触しカラー画像と同極性の電圧が印加されたクリーニングローラ１８により除去され、以て、次なるカラー画像の中間担持体表面への形成担持に備えられる。
【００４２】
更に、未定着画像を担持した記録媒体Ｐは、転写搬送ベルト６により前記転写空間から定着装置７へと搬送されながら、前記記録媒体後端部の前記転写空間通過迄に亘り前記未定着画像と同極性の電圧（例えば、前記未定着画像が負極性を有するときには、−１［ｋＶ］）が印加される除電針１７により前記記録媒体中の蓄積電荷（即ち、前記未定着画像と逆極性の電荷）が除電される。
【００４３】
而して、除電針１７への電圧印加は、転写処理中の記録媒体後端部の前記転写空間通過終了に伴い中断され、又、転写処理終了に伴い中間担持体４及び転写搬送ベルト６が互いに離間せしめられる。
【００４４】
次に、未定着画像を担持した記録媒体Ｐは、定着装置７から定着処理を施され前記未定着画像が定着画像として前記記録媒体Ｐに記録されたのち、プリンタ本体上部又は他側面に設けられた排紙トレイ１９，２０に排紙される、又は、スイッチバックローラ２１等により一面と他面の向きを入れ換えられ再度前記他面に前述工程を繰り返し施されされたのち、排紙トレイ１９，２０に排紙され、以て、一連の画像形成工程が終了する。
【００４５】
次に、現像装置４Ｙに関して図２に基づき説明を行い、以下、他の現像装置４Ｃ，４Ｍ，４Ｂｋの概略構成等は、現像装置４Ｙの概略構成等と同様であることから、図２に代えて説明を省略する。尚、図２は、現像装置４Ｙの概略構成を示す模式的斜視図である。
【００４６】
現像装置４Ｙは、現像剤担持体たるローラ状の回転自在な現像スリーブ４ＹＳと、漏れ抑制体たるローラ状の現像コロ２７，２７とを備えている。
【００４７】
現像スリーブ４ＹＳは、現像ロータリ１０の回転による現像装置４Ｙの前記現像処理実行位置への位置設定に伴い、潜像担持体２と一定間隔にて対面し、又、図３に示すように、電力供給源２２から接触端子２３，２３を介して重畳電圧が印加されるようになっている。
【００４８】
又、現像スリーブ４ＹＳは、電圧印加体たるコンデンサ２４（静電容量＝３３０［μＦ］）からダイオード２５を介して順方向電圧が印加されるようにもなっている。
【００４９】
尚、図３は、現像スリーブ４ＹＳに印加される重畳電圧の概略波形図である。
【００５０】
即ち、電力供給源２２からの重畳電圧印加及びコンデンサ２４からの順方向電圧印加が現像スリーブ４ＹＳに施されることにより、潜像担持体２及び現像スリーブ４ＹＳの間に交番電場が生成され、以て、摩擦帯電済みの現像剤が、前記交番電場の作用を受けて現像スリーブ表面から潜像担持体表面に選択的に吸着されることにより、潜像担持体表面に形成担持された潜像の可視画像化が行われるようになっている。
【００５１】
現像コロ２７，２７は、夫々、現像スリーブ軸方向における現像スリーブ両端部表面に当接又は近接配置され現像剤の吹き出しを抑制すると共に、摩擦帯電済みの現像剤と同極性の電圧がコンデンサ２４から印加され各現像コロ２７，２７への現像剤吸着抑制が図られている。
【００５２】
即ち、本実施形態にあっては、現像剤が負極性を有することから、図４に示すように、コンデンサ２４から各現像コロ２７，２７に正極性の電圧が印加されることにより、負極性化した現像剤等の各現像コロ２７，２７への吸着が抑制されるようになっている。
【００５３】
尚、図４は、各現像コロ２７，２７に印加される電圧の概略波形図である。
【００５４】
コンデンサ２４には、残留電荷除電体たる一端部が接地された抵抗２６（抵抗値＝５００［ＭΩ］）が並列配置されており、現像処理後における各現像コロ２７，２７の残留電荷の除電が行われるようになっている。
【００５５】
即ち、本実施形態にあっては、例えば、イエロー潜像の可視画像化終了に基づき現像装置４Ｙが前記現像処理実行位置から退避せしめられ、接触端子２３，２３が互いに離間し合うことにより、コンデンサ２４及び各現像コロ２７，２７における電荷残留が生じるが、コンデンサ２４及び各現像コロ２７，２７の残留電荷は、抵抗２６を介して除電されるようになっている。
【００５６】
よって、本実施形態にあっては、コンデンサ２４が、摩擦帯電済みの現像剤と同極性の電圧を各現像コロ２７，２７に印加し前記現像剤の各現像コロ２７，２７への吸着を抑制し、又、抵抗２６が、現像処理後における各現像コロ２７，２７及びコンデンサ２４の残留電荷を現像処理再開迄に除電するので、現像剤の吹き出し及び各現像コロ２７，２７への現像剤吸着を従来同様抑制できると共に、現像処理後におけるコンデンサ２４及び各現像コロ２７，２７の残留電荷を現像処理再開迄に充分量除電でき、以て、現像処理再開に伴う接触端子２３，２３の接触による火花放電の発生を確実に防止することができる。
【００５７】
尚、本実施形態に係る諸数値は、説明便宜のための数値であって、本実施形態の範囲内において設定自由であることは言うまでもない。
【００５８】
（第二の実施形態）
次に、本発明に係る第二の実施形態に関して図５に基づき説明する、尚、本実施形態に係る画像形成装置の概略構成は、第一の実施形態の画像形成装置の概略構成と同様であることから、図１に代えて説明を省略する。
【００５９】
図５は、本実施形態に係る現像装置４Ｙの概略構成を示す模式的斜視図であり、以下、第一の実施形態との共通箇所は、図２と同符号を付与することにより、説明を省略する。
【００６０】
本実施形態にあっては、抵抗２７の一端部がツェナーダイオード２８を介して接地されており、現像処理後におけるコンデンサ２４及び各現像コロ２７，２７の残留電荷の抵抗２６による除電量が制限されるようになっている。
【００６１】
即ち、本実施形態にあっては、現像処理終了に基づく各接触端子２３，２３の離隔によるコンデンサ２４及び各現像コロ２７，２７での残留電荷の大部分が抵抗２６及びツェナーダイオード２８を介して除電され、又、ツェナーダイオード２８の特性により前記残留電荷の一部が各現像コロ２７，２７等に残留され、以て、各現像コロ２７，２７における現像剤吸着抑制力の維持が図られるようになっている。
【００６２】
よって、本実施形態にあっては、第一の実施形態と同様の効果が得られると共に、現像処理終了から現像処理再開迄の期間中も各現像コロ２７，２７における現像剤吸着抑制力を維持することができるという利点が得られる。
【００６３】
（第三の実施形態）
次に、本発明に係る第三の実施形態に関して図６に基づき説明する、尚、本実施形態に係る画像形成装置の概略構成は、第一の実施形態の画像形成装置の概略構成と同様であることから、図１に代えて説明を省略する。
【００６４】
図６は、本実施形態に係る現像装置４Ｙの概略構成を示す模式的斜視図であり、以下、第一の実施形態との共通箇所は、図２と同符号を付与することにより、説明を省略する。
【００６５】
本実施形態にあっては、第一の実施形態における抵抗２６の代わりに、複数の電気素子から成る合成負荷２９を残留電荷除電体として採用し、合成負荷２９をコンデンサ２４と並列配置するようになっている。
【００６６】
よって、本実施形態にあっても、第一の実施形態と同様の効果が得られると共に、合成負荷２９の構成電気素子の組み替え等により第二の実施形態と同様の利点を得ることもできる。
【００６７】
以上、第一の実施形態乃至第三の実施形態に亘りカラーレーザビームプリンタを画像形成装置として採用説明してきたが、画像形成装置の他例たる複写機及びコピー機等に第一の実施形態乃至第三の実施形態を適用することにより、第一の実施形態乃至第三の実施形態と同様の効果及び利点が得られることは言うまでもない。
【００６８】
【発明の効果】
以上にて説明してきたように、本出願に係る第一の発明に依れば、コンデンサが、摩擦帯電済みの現像剤と同極性の電圧を漏れ抑制体に印加し前記現像剤の漏れ抑制体への吸着を防止し、又、抵抗が、現像処理後におけるコンデンサ及び漏れ抑制体の残留電荷を現像処理再開迄に除電し、現像処理後における漏れ抑制体の電位が一定値に保たれるよう漏れ抑制体の残留電荷の除電量がツェナーダイオードにより制限されるので、現像剤の吹き出し及び漏れ抑制体への現像剤吸着を抑制できると共に、前記残留電荷を現像処理再開迄に充分量除電でき、以って、現像処理再開に伴う接触端子の接触による火花放電の発生を確実に防止することができる。
【００７２】
更に、本出願に係る第二の発明に依れば、電圧印加体が、摩擦帯電済みの現像剤と同極性の電圧を漏れ抑制体に印加し前記現像剤の漏れ抑制体への吸着を防止し、又、現像装置支持体の回転に伴う両接触端子の離隔による漏れ抑制体の残留電荷が現像処理再開迄に残留電荷除電体より除電されるので、現像剤の吹き出し及び漏れ抑制体への現像剤吸着を抑制できると共に、前記残留電荷を現像処理再開迄に充分量除電でき、以って、現像処理再開に伴う接触端子の接触による火花放電の発生防止が図られた画像形成装置を提供することができる。
【図面の簡単な説明】
【図１】本出願の第一の実施形態に係る画像形成装置の概略構成を示す模式的断面図である。
【図２】図１の現像装置の概略構成を示す模式的斜視図である。
【図３】図２の現像スリーブに印加される重畳電圧の概略波形図である。
【図４】図２の各現像コロに印加される電圧の概略波形図である。
【図５】本出願の第二の実施形態に係る現像装置の概略構成を示す模式的斜視図である。
【図６】本出願の第三の実施形態に係る現像装置の概略構成を示す模式的斜視図である。
【図７】従来に係る現像装置の一例の概略構成を示す模式的斜視図である。
【図８】従来に係る現像装置の他例の概略構成を示す模式的斜視図である。
【符号の説明】
１  カラーレーザビームプリンタ（画像形成装置）
２  潜像担持体
３  現像ロータリ（現像装置支持体）
１０  軸体
２２  電力供給源
２３  接触端子
２４  コンデンサ（電圧印加体）
２５  ダイオード
２６  抵抗（残留電荷除電体）
２７  現像コロ（漏れ抑制体）
２８  ツェナーダイオード
２９  合成負荷（残留電荷除電体）
１００  現像剤担持体
１０１  電力供給源
１０２  接触端子
１０３  現像装置
２００  漏れ抑制体
２０１  コンデンサ（電圧印加体）
２０２  ダイオード
２０３  現像装置
４Ｙ  現像装置
４Ｃ  現像装置
４Ｍ  現像装置
４Ｂｋ  現像装置
４ＹＳ  現像スリーブ（現像剤担持体）
Ｐ  記録媒体
【図１】
0003754820.tif 000002
【図２】
0003754820.tif 000003
【図３】
0003754820.tif 000004
【図４】
0003754820.tif 000005
【図５】
0003754820.tif 000006
【図６】
0003754820.tif 000007
【図７】
0003754820.tif 000008
【図８】
0003754820.tif 000009